Podtech/llm-jp-corpus-v4-ja_patent huggingface dataset:
(57)【要約】      （修正有）【課題】携帯電話機にダウンロードされた音楽は高音量、高品質で外部スピーカーに因って聴く事が出来る。【解決手段】携帯電話機に付属の充電器を充電台に接続し外部スピーカーアンプと電源スイッチとボリュームを装備したことを特徴とするスピーカーアンプである。また、携帯電話機をこの充電台に取付け携帯電話機電池の充電必要な時は充電台に接続した充電器より携帯電話機電池に充電を行う、この時スピーカーアンプはスピーカーアンプの内蔵電池を電源として動作をする、携帯電話機電池の充電が完了すると充電台に接続した充電器よりスピーカーアンプに電源の供給を行う。【選択図】図１
0003120225.tif 000002
【実用新案登録請求の範囲】
【請求項１】
携帯電話機の中にダウンロードされた音楽を携帯電話付属の充電器を充電台に接続し充電台に内蔵されたアンプより外部スピーカーで音楽を聴く装置。
【請求項２】
充電台に内蔵されたアンプは電池を内蔵し、携帯電話機の電池充電中はアンプ内蔵の電池から電気を供給し作動を行い、携帯電話機電池の充電完了後に充電器からアンプに電気の供給を行う。
【考案の詳細な説明】
【技術分野】
【０００１】  この考案は、携帯電話機にダウンロードされた音楽聴視に関する。
【背景技術】
【０００２】  携帯電話機ではダウンロードを行った音楽はイヤーホーンジャックよりイヤーホーンにて聴視している、通常のスピーカーから聴こうとしても携帯電話機にダウンロードされた音楽は著作権上の問題から他の音響装置にはコピーを行う事が出来ず、イヤーホーンのみでしか聴く事が出来ない。
【考案の開示】
【考案が解決しようとする課題】
【０００３】しかしながら、以上の技術によれば、携帯電話機にダウンロードされた音楽をイヤーホーンのみでしか聴く事が出来ない。
そこで、この考案は、高音量、高音質で外部スピーカーによって聴く事が出来る事を提供することを課題とする。
【課題を解決するための手段】
【０００４】  以上の課題を解決するために、第一発明は、携帯電話機に付属の充電器を充電台に接続し外部スピーカーアンプと電源スイッチとボリュームを装備したことを特徴とするスピーカーアンプである。
また、第二考案は、携帯電話機をこの充電台に取付け携帯電話機電池の充電必要な時は充電台に接続した充電器より携帯電話機電池に充電を行う、この時スピーカーアンプはスピーカーアンプの内蔵電池を電源として動作をする、携帯電話機電池の充電が完了すると充電台に接続した充電器よりスピーカーアンプに電源の供給を行う。【０００５】第一考案、第二考案により携帯電話機にダウンロードされた音楽は高音量、高品質で外部スピーカーに因って聴くことが出来る。
【考案を実施するための最良の形態】
【０００６】この考案の一実施形態を、図１に示す。
携帯電話機▲２▼を取付けるプラスチック製充電台▲１▼にはインターフェースコネクター▲３▼が有り携帯電話機▲２▼のインターフェースコネクターに接続する。
充電台▲１▼に内蔵されているアンプからの接続線コネクター▲４▼を携帯電話機のイヤーホーンジャック▲５▼に接続する。
携帯電話機付属の充電器▲６▼を充電台の充電ジャック▲８▼に接続する。
充電台内蔵アンプより接続線により左右のスピーカー▲９▼に接続される。携帯電話機電池に充電時には充電台▲１▼に内蔵された電池▲１１▼によりスピーカーアンプ▲１０▼は動作を行う、携帯電話機電池充電完了後は携帯電話機充電器▲６▼より供給された電気で動作する。【０００７】「実施形態の効果」
この実施形態によれば、携帯電話機▲２▼にダウンロードされた音楽をスピーカー▲９▼によって高音質、高音量で聴くことが出来る。【０００８】「他の実施形態」
図１の実施形態では、充電台には携帯電話機の充電器は内蔵せず外部に携帯電話機付属の充電器を使用する。
充電台に電池を内蔵する事に因って携帯電話機付属の充電器１台で必要に応じて携帯電話機充電とスピーカーアンプの両方に電気を供給することが出来る。他の実用形態では、充電台に充電器用電源とアンプ用電源を別々に内蔵したものでも良い。
【図面の簡単な説明】
【０００９】
【図１】この考案の一実施形態を示す斜視図である。
【符号の説明】
【００１０】▲１▼充電台  ▲２▼携帯電話機  ▲３▼インターフェースコネクター  ▲４▼スピーカーアンプコネクター  ▲５▼携帯電話機イヤーホーンジャック  ▲６▼携帯電話機付属充電器  ▲７▼ボリュームスイッチ  ▲８▼充電器用ジャック  ▲９▼スピーカー  ▲１０▼スピーカーアンプ  ▲１１▼乾電池
【図１】
0003120225.tif 000003
【手続補正書】
【提出日】平成17年12月19日(2005.12.19)
【手続補正１】
【補正対象書類名】実用新案登録請求の範囲
【補正対象項目名】全文
【補正方法】変更
【補正の内容】
【実用新案登録請求の範囲】
【請求項１】
携帯電話機を、携帯電話付属の充電器に接続された充電台に接続し、前記充電台に内蔵されたスピーカーアンプにより前記携帯電話機にダウンロードされた音楽を外部スピーカーによって聴く装置。
【請求項２】
充電台には電池を内蔵し、携帯電話機の電池充電中は充電台に内蔵され電池から電気をスピーカーアンプに供給しスピーカーアンプは作動を行い、携帯電話機電池の充電完了後に充電器からスピーカーアンプに電気の供給をする事を特徴とする請求項１記載の装置。
(57)【要約】      （修正有）【課題】小形寸法の筒形ヒューズにおいて、その定格電流値が１０アンペア以上のものでは、交流電圧１２５、２５０ボルトにおける短絡遮断電流で３００アンペア以上のヒューズの提供。【解決手段】帯状で所定の厚みを有し、表面を均一な厚膜でニッケルメッキした銅薄板を、その全長の中央部に三個所の狭隘部ａ１、ａ２、ａ３を有する短冊小片に型抜し、さらにこれらの狭隘部のいずれかにａ４小穴を穿つとともにこの小穴ａ４上に高温はんだを点着して形成の高遮断ヒューズ素子を用いたヒューズの提供。【選択図】図１
0003120267.tif 000002
【実用新案登録請求の範囲】
【請求項１】
両端に導電性金属のカップ状口金を耐熱性絶縁材からなる筒に接合し、前記筒内に可溶体を配設し、該可溶体の末端をカップ状口金にはんだ付け固定した小形寸法の筒形ヒューズにおいて、前記可溶体に帯状で所定の厚みを有し、表面を均一な厚膜でニッケルメッキした銅薄板を、その全長の中央部に三個所の狭隘部ａ１、ａ２、ａ３を有する短冊小片に型抜し、さらにこれらの狭隘部のいずれかにａ４小穴を穿つとともにこの小穴ａ４上に高温はんだを点着して形成の高遮断ヒューズ素子を用いたヒューズ。
【考案の詳細な説明】
【技術分野】
【０００１】この考案は電気回路の保護に用いられる比較的定格電流の大きい小形の筒形ヒューズで特に短絡等の大電流で本体が破壊することなく回路保護を行えるようにしたヒューズに関する。
【背景技術】
【０００２】従来、電気回路に使用される小形の筒形ヒューズは、その外形寸法が種々あるが通常直径がφ６．４ｍｍで全長が３０〜３２ｍｍで定格電流値が１０アンペア以上のヒューズでは、ヒューズ本体の内容積に比しヒューズ素子の断面積の占める割合が大きいことから交流２５０ボルトでの短絡遮断電流は１００アンペア程度が限度とされており、その構成は、図３、図４、図５のようになっている。
具体的には、図３に示すように、左右のカップ状口金１、１をガラス筒２に接合し、この内部に図４、図５のような可溶体３を配設している。
いずれの可溶体も断面積が大きく図４は銀及び銅の太い合金線、図５は亜鉛の厚い板をプレスして用いられている。
【考案の開示】
【考案が解決しようとする課題】
【０００３】従来用いられている定格電流値１０アンペア以上の可溶体では、過電流が流れて溶断するいわゆる過負荷溶断性能は満足できるが、回路上での短絡で生じる大電流では１００アンペアが限度であり、３００、５００アンペアでは筒が破壊したり、左右のカップ状の口金が外れたり、穴が開いたり場合によっては筒が破裂することから、安全上にも問題があった。【０００４】このため前述の外形寸法のヒューズを使用する機器によっては短絡電流が１００アンペアを超えるものがある場合には、遮断容量の３００ないし５００アンペアを有する大形寸法のヒューズを使用しなければならないことからそれに適合するヒューズホルダの選定、組合わせ等極めて利便性の悪い問題があった。【０００５】この考案は上記の問題点に着目してなされたものであり、定格電流値が１０アンペアから３０アンペアのものまでを同一材質、同一形状のヒューズ素子を用いることで、ヒューズ筒の破壊、左右のカップ状口金の外れ、穴開き及び破裂等を生じることなく交流３００から５００アンペアの短絡電流を遮断できる高遮断ヒューズ素子を用いたヒューズの提供を目的としている。
【課題を解決するための手段】
【０００６】上記目的を達成するため、この考案の高遮断ヒューズ素子を用いたヒューズは、帯状で所定の厚みを有し、表面を均一な厚膜でニッケルメッキした銅薄板を、その全長の中央部に三個所の狭隘部ａ１、ａ２、ａ３を有する短冊小片に型抜し、さらにこれらの狭隘部のいずれかにａ４小穴を穿つとともにこの小穴ａ４上に高高温はんだを点着して形成の高遮断ヒューズ素子を用いたヒューズである。
【考案の効果】
【０００７】この考案のヒューズは電気的にも抵抗の少ない良導体銅薄板を最少量の断面積で用いるためヒューズ素子の占める断面積の割合も少なくなることから、筒の内容積に若干の余裕が得られ大電流の遮断エネルギーを抑制、軽減により、定格電流値が１０アンペア以上のものでも遮断電流の大きい容量の小形ヒューズの製作が可能となる。
【考案を実施するための最良の形態】
【０００８】表面を均一な膜厚でニッケルメッキしてある銅薄板は、その形状寸法が同一の短冊状の小片としてプレス金型で板厚を変えるだけでほぼ定格電流を設定でき、かつ、前記銅薄板の三個所の狭隘部の少なくともどれかの個所の中心に小穴を開けさらにこの上に高温はんだを点着することで適合する定格電流値を決定づけることが容易に可能となる。
【実施例】
【０００９】以下、図面に示す実施の形態により、この考案を詳細に説明する。
この考案が実施されているヒューズの構造は図３に示すものと同じであるが、図２に示すように筒内部に配設のヒューズ素子が全く相違する。
すなわち、この考案の実施形態のヒューズの特徴は、図１に示す形状の高遮断ヒューズ素子を使用したことにある。【００１０】図１（イ）の平面図及び（ロ）の側面図で示した高遮断ヒューズ素子３は、良導体金属である銅の薄板０．０８〜０．２ｍｍの定尺板を帯状に切断し、これを表面に均一な膜厚１〜２  ｍのニッケルメッキを施した後、この帯状の長手方向と直角に、短冊形状の小片でその有効部に三個所の狭隘部ａ１、ａ２、ａ３とａ３の中心  に小穴ａ４を穿ち、この上に高温はんだ６を点着している。【００１１】この実施形態の高遮断ヒューズ素子３は、次のような電気的性能を満足する。このヒューズ素子に通常の定格電流が流されている場合、溶断の気配は無く、また、その兆候も殆ど無く安定している。
これは、この素子の小穴ａ４上の高温はんだ６が溶融温度に至らない状態を維持し、素子自体が金属飽和状態に達することからである。【００１２】この高遮断ヒューズ素子に定格電流の１．６倍ないし２．０倍の過負荷電流が流れた場合には、電流によって発生したジュール熱がこの素子の小穴ａ４上の高温はんだに集中し時間の経過とともに溶融し、この部分の銅素地と融合し強制的に熱劣化で溶断する。【００１３】回路での短絡事故が発生し３００〜５００アンペアの大電流が流れた場合には、この素子の左右の狭隘部ａ１かａ２のどちらかが即時に溶断する。
【産業上の利用可能】
【００１４】本考案の一実施例は上述のような構成からなるものであるから、小形ヒューズで比較的大きな定格電流値とその遮断電流容量が３００〜５００アンペアを必要とする機器回路の保護には最適なヒューズであり安全上からも利便性が高い。
【図面の簡単な説明】
【００１５】
【図１】この考案の一実施形態を示す高遮断ヒューズ素子の平面図及び側面図
【図２】図１の高遮断ヒューズ素子を用いたヒューズ全体の斜視図
【図３】従来の可溶体を用いたヒューズの斜視図
【図４】従来の可溶体の斜視図
【図５】従来の別な可溶体の斜視図
【符号の説明】
【００１６】１  カップ状口金
２  ガラス筒
３  高遮断ヒューズ素子
４  可溶体
５  可溶体
６  高温はんだ
【図１】
0003120267.tif 000003
【図２】
0003120267.tif 000004
【図３】
0003120267.tif 000005
【図４】
0003120267.tif 000006
【図５】
0003120267.tif 000007
(57)【要約】      （修正有）【課題】幼児がコップで飲物を飲むとき、両脇からこぼさず衣服やテーブルを汚さず、早く飲めるようにする。【解決手段】円形型取っ手つきコップを右手で持ち、その真ん中の中心に深さ６ｍｍ、左右に巾２，５ｃｍに円形状に削除４する事で問題点を解決している。【選択図】図１
0003120263.tif 000002
【実用新案登録請求の範囲】
【請求項１】
円形型取っ手つき湯のみコップを幼児が右手で持ちその正面、真ん中中心に深さ６ｍｍ、左右真ん中中心に巾２，５ｃｍの円形状に削除し幼児の下唇が削除した部分にピッタリと接して飲むと飲物が両脇から零れにくいコップである。
【考案の詳細な説明】
【技術分野】
【０００１】  本考案は円形型取ってつきコップを右手で持ち、その正面真ん中に深さ６ｍｍ、左右真ん中中心に巾２，５ｃｍの円形状に削除したコップに関する物である。
【背景技術】
【０００２】  幼児が幼稚園や家庭やその他の飲食店で、飲物など飲む時のコップは飲み口が平らである。
【考案の開示】
【考案が解決しようとする課題】
【０００３】  背景技術のコップで幼児が飲物を飲むと飲物が両脇からこぼれてしまい、衣服やテーブルなどを汚してしまう。
【考案が解決するための手段】
【０００４】  本考案は円形型取ってつきコップを右手で持ち、その正面真ん中に深さ６ｍｍ、左右真ん中中心に巾２，５ｃｍの円形状に削除し幼児の下唇が削除した部分にピッタリと接して飲む事で飲物を零さずに飲めるので問題点を解決している。
【考案の効果】
【０００５】  本考案はアライイコップで飲物を飲むと飲物を早く飲めるようになり、こぼさずに飲めるので衣服やテーブルを汚す事がなくなり、右利きにもなる。
【考案の実施するための最良の形態】
【０００６】  アライイコップを右手で持ち下唇を円形状に削除した部分に全部ピッタリと接する。
【図面の簡単な説明】
【０００７】
【図１】本考案のアライイコップの削除した実施例を示すの正面図である
【図２】アライイコップの裏面図である
【符号の説明】
【０００８】  １  アライイコップの取っ手
２  アライイコップの上面
３  アライイコップの底面
４  アライイコップの上面飲み口、削除部分
５  アライイコップの本体
【図１】
0003120263.tif 000003
【図２】
0003120263.tif 000004
(57)【要約】      （修正有）【課題】エスカレータの内側板の上を被うように滑り易い材質のシートを貼り付けることによって、エスカレータに乗っている人の転倒防止をする。【解決手段】エスカレータの内側板２に広く使われているステンレスやガラス等の材質の上を被うように滑り易い材質のシート本体１を貼り付けるか、又は、はめ込み式で全体に施すことにより、エスカレータ３を利用する人がエスカレータのステップ５に乗った後、エスカレータの内側板２に身体を預けたとしてもエスカレータ３を利用する人の着ている衣類、又は、手荷物等とエスカレータの内側板２との間が滑り易くなることで、エスカレータ３が安全に運行できる。【選択図】図２
0003120266.tif 000002
【実用新案登録請求の範囲】
【請求項１】
エスカレータの内側板の上を被うように、滑り易い材質のシートを貼り付けられるところを特徴としたエスカレータの内側板に貼り付けられる滑り易い材質のシート
【考案の詳細な説明】
【技術分野】
【０００１】  本考案は、エスカレータの内側板に滑り易い材質のシートを貼り付けた、エスカレータの内側板に関するものである。
【背景技術】
【０００２】  従来、エスカレータを利用する人がエスカレータのステップに乗った後、エスカレータの内側板に身体を預ける為、エスカレータの内側板に広く使われているステンレスやガラス等の材質が、エスカレータを利用する人の着ている衣類、又は、手荷物等と強く擦れることにより、身体が後ろに引っ張られる形で倒れ、大怪我をする事故が多発していた。
【考案の開示】
【考案が解決しようとする課題】
【０００３】  エスカレータのベルトに掴まっていてもエスカレータの内側板に広く使われているステンレスやガラス等の材質が、エスカレータを利用する人の着ている衣類、又は、手荷物等と強く擦れることにより、身体が後ろに引っ張られる形で倒れる事故が発生していた、従って、エスカレータの内側板に広く使われているステンレスやガラス等の材質の上を被うように滑り易い材質のシートを貼り付けることにより、エスカレータを利用する人の着ている衣類、又は、手荷物等がエスカレータの内側板に触れても滑り易くなることで、エスカレータが安全に運行できることにより、前述の欠点を解決しようとするものである。
【課題を解決するための手段】
【０００４】  本考案は、エスカレータを利用する人の着ている衣類、又は、手荷物等がエスカレータの内側板に触れてもエスカレータの内側板に広く使われているステンレスやガラス等の材質の上を被うように滑り易い材質のシートを貼り付けることにより、問題点を解決している。
【考案の効果】
【０００５】  上述の様に、本考案のエスカレータの内側板に貼り付けられる滑り易い材質のシートは、エスカレータを利用する人がエスカレータのベルトに掴まってエスカレータの内側板に身体を預けることで、着ている衣類、又は、手荷物等とエスカレータの内側板が強く当たっていたとしても摩擦無く滑ることにより、エスカレータを利用する人はバランスを崩すこと無く安定した状態で乗り降りが出来ることにより、転倒防止に役立つ。
【考案を実施するための最良の形態】
【０００６】  エスカレータの内側板に広く使われているステンレスやガラス等の材質の上を被うように滑り易い材質のシートを貼り付けるか、又は、はめ込み式で全体に施す、尚、滑り易い材質は天然繊維、化学繊維、動物の皮革等の滑り易い材質であれば良い。
【実施例】
【０００７】  以下、添付図面に従って一実施例を説明する。エスカレータの内側板２に広く使われているステンレスやガラス等の材質の上を被うように滑り易い材質のシート１を貼り付けるか、又は、はめ込み式で全体に施す。
【図面の簡単な説明】
【０００８】
【図１】本考案の、エスカレータの内側板に貼り付けられる滑り易い材質のシート本体の実施例を示す斜視図である。
【図２】本考案の、エスカレータの内側板に貼り付けられる滑り易い材質のシート本体の正面図である。
【符号の説明】
【０００９】１  滑り易い材質のシート本体
２  エスカレータの内側板
３  エスカレータ
４  エスカレータのベルト
５  エスカレータのステップ
【図１】
0003120266.tif 000003
【図２】
0003120266.tif 000004
(57)【要約】      （修正有）【課題】従来の重々しい雨天用長靴ではなく極薄で軽快、しかも簡単に携帯でき、靴やズボンのうえからそのまま装着できる防水カバ−を提供する事。【解決手段】ゴムの様に弾力性を備えなおかつ溌水性も備えている化学合成樹脂を素材としたロングソックス状の極薄防水カバ−で、あたかもコンド−ムの様に装着したり脱着したりできるので容易に携帯する事が可能である。【選択図】図２ｂ
0003120270.tif 000002
【実用新案登録請求の範囲】
【請求項１】
多種ある化学合成樹脂の中から、ゴムの様に伸縮性を有しかつ溌水性のある樹脂を素材とし、
ロングソックス状の形状で足首から下と膝関節の直ぐ下の部分のみを厚く作ってある、コンド−ム状の防水カバ−で
使用時は、靴を履いたまま爪先からコンド−ムの様に装着し、
使用時以外は巻き取って小さくし携帯できる極薄の雨天用防水カバ−
【考案の詳細な説明】
【技術分野】
【０００１】本考案は、従来の長靴に替わって、靴を履いたまま装着できる雨天用の携帯容易な極薄の膝下防水カバ−に関するものである。
【背景技術】
【０００２】雨天の場合、従来は厚手のゴムで作られた長靴が使用されてきた。
【考案の開示】
［考案が解決しようとしする課題］
【０００３】長靴は都会の一般会社員の通勤にはそぐわず、やむなく革靴やズボンを濡らせながら通勤しているという現状がある。女性に於いても靴やストッキングを濡らせて通勤している。仮に長靴で出勤した場合、帰宅時雨があがっていると、邪魔な荷物となってしまう。
又、急な雨などには対応できずどうしても革靴やズボンを濡らせてしまう。
【課題を解決するための手段】
【０００４】本考案は、靴を履いたまま爪先から膝下まで容易に装着できる合成樹脂性の、弾力性と溌水性を兼備えたコンド−ム状の極薄の防水カバ−を提供する。
勿論、足首から下は歩行により破損しないように、又、膝の直ぐ下はカバ−が歩行によりずり落ちないように締め付けを考慮していずれも適度に厚目に、作られて入る。
【考案の効果】
【０００５】従来の長靴の様な重々しさを無くし、軽くて容易に装着できて靴やズボンを、雨水から保護し、巻き取って脱着すれば携帯も非常に容易であり急な雨にも即対応できる。
既存の考案にも本質的には似た例があるが、足裏部分の歩行による破損対策や逆にスリップの危険性に対する考慮が充分とは思われない。又、歩行による、ずり落ちにたいする策もいまいち煩雑でコンド−ムを巻き取るように小さく収納する様には考案されていない。
【実施例】
【０００６】以下、添付図面によって実施例を示すが、現在、極薄のゴム手袋など合成樹脂成形技術は目覚ましく進歩しており、本考案も容易に実用化できるであろう。勿論、脚の大きさによりＳ，Ｍ，Ｌの三種類を提供する。
【図面の簡単な説明】
【０００７】
【図１ａ】  考案品の断面図
【図１ｂ】  考案品の見取り図
【図２ａ】  装着前および使用後巻き取り済みの形状
【図２ｂ】  装着した状態
【図１ａ】
0003120270.tif 000003
【図１ｂ】
0003120270.tif 000004
【図２ａ】
0003120270.tif 000005
【図２ｂ】
0003120270.tif 000006
(57)【要約】      （修正有）【課題】  指を入れる穴を自分の指に合わす修正加工とか、弾きやすい形状に弦に当たる先端部分の前側、後側等の修正加工を施すことが容易であり、しかも安価な爪の提供。【解決手段】木製からなる爪１の正面視中央部に、縦方向の略中央より先端２にかけて、正面より背面へ貫通した溝３を設け、当該溝３に硬質合成樹脂または鼈甲等の硬質材４を埋設してなる三線の爪であるから、爪の本体１が木製であるので、指を入れる穴５を自分の指に合わす修正加工とか、弾きやすい形状に弦に当たる先端部分２の正面側、背面側等の修正加工を施すことが極めて容易であり、しかも安価である。【選択図】図１
0003120261.tif 000002
【実用新案登録請求の範囲】
【請求項１】
木製からなる爪の正面視中央部に、縦方向の略中央より先端にかけて、正面より背面へ貫通した溝を設け、当該溝に硬質合成樹脂または鼈甲等の硬質材を埋設してなる三線の爪。
【考案の詳細な説明】
【技術分野】
【０００１】  本考案は沖縄地方で用いられている三線の爪に関するものであり、詳しくは三線奏者の指に適合した爪に修正加工の容易な爪に関するものである。
【背景技術】
【０００２】  従来、三線の撥（沖縄の三線にあっては爪というので、以後爪という）爪は高価なものにあっては象牙製のものがあり、また水牛の角、黒檀等の爪が広く知られており、最近では合成樹脂製の爪も市販されている。当該爪は、三線の奏者は指を入れる穴とか弦に当たる先端部分を修正加工して自分の指に合わせ、また弾きやすい形状に加工して用いるのであるが、象牙、水牛の角、黒檀等は硬質であるので加工が難事であり、またこれらの爪は高価である。【０００３】  出願人は、このような問題を解決すべく木製の爪を製作したが、当該木製の爪は、指を入れる穴の修正加工とか、弦に当たる先端部分の修正加工は極めて容易ではあるものの、やはり木製の爪は軟質材であり、三線を弾いていると弦に当たる部分の磨耗が著しいという大きな欠点を有していた。
【考案の開示】
【考案が解決しようとする課題】
【０００４】  指を入れる穴を自分の指に合わす修正加工とか、弾きやすい形状に弦に当たる先端部分の前側、後側等の修正加工を施すことが容易であり、しかも安価な爪の開発が課題である。
【課題を解決するための手段】
【０００５】  安価な材質を用い、しかも穴とか先端部分の修正加工が容易であり、しかも耐久性に優れた爪の開発が課題を解決するための手段である。
【考案の効果】
【０００６】  本考案は、木製からなる爪の正面視中央部に、縦方向の略中央より先端にかけて、正面より背面へ貫通した溝を設け、当該溝に硬質合成樹脂または鼈甲等の硬質材を埋設してなる三線の爪であるから、爪の本体が木製であるので、指を入れる穴を自分の指に合わす修正加工とか、弾きやすい形状に弦に当たる先端部分の前側、後側等の修正加工を施すことが極めて容易であり、しかも安価な爪を提供することができる。また先端部分の溝に合成樹脂であるとか鼈甲等の硬質材を埋設しているので、耐久性にも優れている。また木質を選択すれば、爪本体の表面に種々の木目を現すことができ、極めて優美な爪を提供することができる等、極めて顕著なる種々の実用的効果を有するものである。
【考案を実施するための最良の形態】
【０００７】  本考案は、木製からなる爪の正面視中央部に、縦方向の略中央より先端にかけて、正面より背面へ貫通した溝を設け、当該溝に硬質合成樹脂または鼈甲等の硬質材を埋設してなる三線の爪を呈せんとするものである。
【実施例１】
【０００８】  爪本体１は木製としている。木製の材質に限定を受けるものではないが、加工が容易で且つ木目の細かいものが望ましい。当該爪本体１の正面視中央部に、縦方向の略中央より先端２にかけて、正面より背面に貫通した溝３を設ける。当該溝３に硬質合成樹脂或いは鼈甲等の硬質材の板４を埋設し、適宜の接着剤にて固定し、本体１の形状に倣わせて表面を滑らかにする。５は指を入れる穴である。【０００９】  爪本体１を形成する木材としては、特に限定を受けるものではないが、木目が細かく、木目が綺麗であり、且つ指を入れる穴を自分の指に合わす修正加工とか、弾きやすい形状に弦に当たる先端部分の正面側、背面側等の修正加工を施すことが極めて容易な材質が望ましい。【００１０】  爪本体１の溝３に埋設する硬質材の板４としては、硬質合成樹脂が適当であるが、その他の硬質材でもよい。当該硬質材の板４が、三線を弾く時に弦に当たるので、それで磨耗する材料では不可であり、また、逆に弦を傷めるものであってはならない。
【産業上の利用可能性】
【００１１】  本考案は、木製からなる爪１の正面視中央部に、縦方向の略中央より先端２にかけて、正面より背面へ貫通した溝３を設け、当該溝３に硬質合成樹脂または鼈甲等の硬質材４を埋設してなる三線の爪であるから、爪の本体１が木製であるので、指を入れる穴５を自分の指に合わす修正加工とか、弾きやすい形状に弦に当たる先端部分２の正面側、背面側等の修正加工を施すことが極めて容易であり、しかも安価な爪を提供することができる。また先端部分２の溝３に合成樹脂であるとか鼈甲等の硬質材４を埋設しているので、耐久性にも優れている。また木質を選択すれば、爪本体１の表面に種々の木目を現すことができ、優美な爪を提供することができる等、産業上での利用可能性は極めて大きいものがある。
【図面の簡単な説明】
【００１２】
【図１】  正面側から見た爪の斜視図である。
【図２】  背面側から見た爪の斜視図である。
【図３】  側面から見た爪の斜視図である。
【符号の説明】
【００１３】  １  爪本体
２  先端部
３  溝
４  硬質材
５  穴
【図１】
0003120261.tif 000003
【図２】
0003120261.tif 000004
【図３】
0003120261.tif 000005
(57)【要約】      （修正有）【課題】コードリールのコード途中にテーブルタップが設けられるように、コード途中にテーブルタップをつけるためにテーブルタップの形状をスリム化することと強度を持たせること、及び、テーブルタップをリールに巻き付けるために、テーブルタップがリール円周上にあるため形状を工夫すること。【解決手段】テーブルタップの形状は、断面が円柱形の一部とし、円周に沿う形にカーブした円弧状であること、及び、テーブルタップとコード取り付け部の強度を増すためナイロン繊維で補強するとともに樹脂補強すること。【選択図】図１
0003120243.tif 000002
【実用新案登録請求の範囲】
【請求項１】
コードリールに巻かれたコードの途中にテーブルタップを１口・１個又は複数口・複数個設けたことを特長とするコードリール。
【請求項２】
上記のテーブルタップの形状は、円弧状になされていることを特長とする請求項１記載のコードリール。
【請求項３】
上記のテーブルタップは、導線との接続強度を高めるため、ナイロン繊維を通し樹脂で補強した構造を特長とする請求項１記載のコードリール。
【考案の詳細な説明】
【考案の詳細な説明】
【技術分野】
【０００１】  本考案は、コードリールをより安全になおかつ便利に活用するためのアイデアに関するものである。
【背景技術】
【０００２】  従来のコードリールは、リール自体（ドラム本体）だけに差込口が数個設けてあるだけのものである。
【考案の開示】
【考案が解決しようとする課題】
【０００３】  コードを多く巻いたままの状態で電気ストーブなどの大電流が流れる電気器具を使用した場合に、巻き残っているコードがリアクタンスとなって発熱し、発火ということがある。【０００４】  コード途中のテーブルタップの差込口より電流が取り出されそれ以後のコードリールには電圧はかかっているが電流が流れないため前述〔０００３〕の発熱が防ぐことができる。【０００５】  コード途中のテーブルタップの設置場所、設置個数、それぞれの口数により、利用の便利性が増える。
【課題を解決するための手段】
【０００６】  請求項１記載の考案は、コード途中のテーブルタップよりより電流を取り出すことにより、巻き残っているコードが発熱しない。【０００７】  請求項２記載の考案は、コード途中のテーブルタップの形状をスリムな円弧状にすることでコードリールに隙間なく巻き付けやすくなる。【０００８】  請求項３記載の考案は、コードとテーブルタップの接続強度を増す。
【考案の効果】
【０００９】  コードリールを使用するときに、電気をより安全に便利に使うことができる。
【考案を実施するための最良の形態】
【００１０】  既にコードリールを製作している企業において、発展的な製品として製作。
【産業上の利用の可能性】
【００１１】  長いコードリールを短い距離で使用するとき、許容範囲内の大きな電流をこれまで以上に安全に使用することができる。
【００１２】  コードを伸ばしたとき、ドラム本体だけでなく、コード途中でも電気を使うことができる。
【図１】
0003120243.tif 000003
【図２】
0003120243.tif 000004
【図３】
0003120243.tif 000005
【手続補正書】
【提出日】平成18年1月18日(2006.1.18)
【手続補正１】
【補正対象書類名】明細書
【補正対象項目名】全文
【補正方法】変更
【補正の内容】
【考案の詳細な説明】
【考案の詳細な説明】
【技術分野】
【０００１】本考案は、コードリールをより安全になおかつ便利に活用するためのアイデアに関するものである。
【背景技術】
【０００２】従来のコードリールは、リール自体（ドラム本体）だけに差込口が数個設けてあるだけのものである。
【考案の開示】
【考案が解決しようとする課題】
【０００３】コードを多く巻いたままの状態で電気ストーブなどの大電流が流れる電気器具を使用した場合に、巻き残っているコードがリアクタンスとなって発熱し、発火ということがある。【０００４】コード途中のテーブルタップの差込口より電流が取り出されそれ以後のコードリールには電圧はかかっているが電流が流れないため前述［０００３］の発熱が防ぐことができる。【０００５】コード途中のテーブルタップの設置場所、設置個数、それぞれの口数により、利用の便利性が増える。
【課題を解決するための手段】
【０００６】請求項１記載の考案は、コード途中のテーブルタップよりより電流を取り出すことにより、巻き残っているコードが発熱しない。【０００７】請求項２記載の考案は、コード途中のテーブルタップの形状をスリムな円弧状にすることでコードリールに隙間なく巻き付けやすくなる。【０００８】請求項３記載の考案は、コードとテーブルタップの接続強度を増す。
【考案の効果】
【０００９】コードリールを使用するときに、電気をより安全に便利に使うことができる。
【考案を実施するための最良の形態】
【００１０】既にコードリールを製作している企業において、発展的な製品として製作。
【産業上の利用の可能性】
【００１１】長いコードリールを短い距離で使用するとき、許容範囲内の大きな電流をこれまで以上に安全に使用することができる。
【００１２】コードを伸ばしたとき、ドラム本体だけでなく、コード途中でも電気を使うことができる。
【図面の簡単な説明】
【００１３】
【図１】  テーブルタップ中継コードリール全体の立体図である。
【図２】  コード途中のテーブルタップの平面図と正面図である。
【図３】  コード途中のテーブルタップの断面図である。
(57)【要約】【課題】  巻紙とし用いられる衛生用紙に、新しい利用方法を付加する。【解決手段】  トイレットペーパーなど巻紙とし用いられる衛生用紙に、言語や絵模様を印刷し、知識、情報源（書籍、文書）とし活用する。更に衛生用紙以外の印刷用紙等を用いた巻紙に印刷を行い、従来の書籍文書の利用の仕方と異なり、印刷部を自由に切り取る方法で利用する各種の知識、情報源とし日常生活で広く利用する。【選択図】  図１
0003120242.tif 000002
【実用新案登録請求の範囲】
【請求項１】
トイレットペーパーや、その他使用時切り取り用いる衛生用紙よりなる巻紙において、その巻紙の表面に、言語即ち漢字、ひらがな、外国語等の文字や文章，また必要に応じて絵模様を併用した印刷を行い、その巻紙を衛生紙とし使用する際、印刷された言語及び絵模様等を知識、情報源とし利用することもできることを特徴とする衛生紙よりなる巻紙。
【請求項２】
トイレットペーパー状の巻紙とした印刷情報用紙に、言語即ち漢字、ひらがな、外国語等の文字や文章、また必要に応じて絵模様を併用した印刷を行い、巻紙から引き出した巻紙端部は必要に応じ順次切り離すため、巻紙にあらかじめ間隔を置きミシン目または切り欠きなどを設け、巻紙端は巻紙を回転さしながら引き出せるよう巻紙を保持し、引き出された巻紙の切断または切断を補助する装置を設けた保持器により、巻物の印刷事項を知識とし習得、または情報源とし利用し易くしたことを特徴とする巻紙式印刷物。
【考案の詳細な説明】
【技術分野】
【０００１】  本考案は、トイレットペーパーその他巻紙として用いる衛生紙の利用に関するもので、更にこの利用方法、手段を一般の書籍文書の領域に応用拡大したものである。
【背景技術】
【０００２】  従来のトイレットペーパー等の衛生紙の巻紙は、その目的のため無地の衛生用紙が用いられ、印刷を行う場合にも、装飾の草花などで、印刷は書籍や文書など知識、情報源とし利用するためのものではない。又一般に利用される印刷された書籍や文書等は、多くの情報が印刷された広い紙面を目で追いながら、重ね合わしたページを開き、繰り返し読めるものであり、破損しない様長期に保存する前提で作成されている。
【考案の開示】
【考案が解決しようとする課題】
【０００３】  トイレットペーパーなどの衛生紙よりなる巻紙は、たんに衛生紙用とし使用する目的で作られ、その使用者は、特定の時、特定の場所でその巻紙の端部を巻紙より切り離し、使い捨ての特徴を有する。その巻紙であること、特殊環境で使用すること、切り離し使う特徴を生かし、衛生紙よりなる巻紙を有効活用する。更にこの巻紙の利用方法手段を広く日常生活おいても活用し、従来の書籍文書とは異なる方法手段で、各種の知識、情報を得ることができるようにするものである。
【課題を解決するための手段】
【０００４】  本考案は、衛生紙とし使用される巻紙面に、日本語や、外国語の文字や文章などの言語や絵模様などを目的に応じて印刷する。【０００５】  更に、巻紙に用いられる衛生紙の紙質とは異なる印刷情報用紙を用いることにより、繊細で複雑なより多岐にわたる情報の印刷を容易にし、日常生活の広い場面で活用できるようにする。
【考案の効果】
【０００６】  請求項１の衛生紙の巻紙においては、本来の目的に使用するのみでなく、引き出された巻紙に印刷された言語あるいは絵模様などを、書籍や文書と同様の知識、情報源とし利用することが出来る。これは衛生紙とし利用する状況環境のもとであっても、自由に得られる知識、情報となる。特にトイレットペーパーとし使用時には、通常仕切られ隔絶された特殊環境のもとにあり、外部環境に作用されずに印刷物に注意を集中でき、知識、情報の取得量を増進する。【０００７】  さらに、使用時巻紙より引き出し切断した巻紙端は、衛生紙とし直ちに使用することも、また意図すれば印刷部を使用しないで保持し、繰り返しみることもできる。【０００８】  請求項２においては、巻紙を衛生紙ではなく、各種の印刷を可能とする印刷情報用紙等を用い、その利用場所を、使用者が意図する日常生活でのあらゆる場所、すなわち作業場所、机、居間等好みの場所に置くことにより、より便利に知識、情報源とし利用できるようにしたものである。【０００９】  このように印刷された巻紙は、巻紙を任意の時、任意の箇所で切り取り、その都度各切れ端の保管、破棄が自由で、印刷箇所を引き出したままにしておけば、常に其の箇所が容易に繰り返し目にすることもできる。また不要な部分を切り取れば、その部分を再び目にすることなく、注意力を瞬時に切り替え、集中して次の印刷内容が確認できる。必要に応じて、切り離し部を保管すれば、繰り返し見ることもできる。これは学習、思索、記憶などのため、従来から実践している書物文書の印刷を読みとる方法とは全く異なるもので、その自由度便利さが知識の増進、また新たなる知識欲につながる結果となる。
【考案を実施するための最良の形態】
【００１０】  考案の実施例を図面に基づいて説明する。
図１はトイレットペーパーとし使用時の斜視図である。図１で示すように、トイレットペーパーとし用いられる巻紙１は、保持器２により回転できるよう保持され、上部カバー３は、トイレットペーパー切断時の切断面や切断補助面にもなる。トイレットペーパー使用時トイレットペーパーの巻紙端４を引き出すと、引き出された紙と共に印刷物５が見えるようになる。さらにトイレットペーパーに設けられたミシン目６、またはカバー端部を利用し任意の場所から切り離した後に衛生紙とし使用するまえに、意図すれば繰り返して印刷された情報を確認できる。【００１１】  図２は、日常生活において、書籍文書などの印刷物同様に広く利用できるよう、トイレットペーパーの衛生紙とは異なる印刷情報用紙、またはそれに類する紙を巻紙７としたものある。  使用方法は、トイレットペーパーに類似する。すなわち巻紙が回転できるよう支持棒８が巻紙７と共に保持器９に取り付けられている。更に引き出された部分の印刷物５のみでなく、引き出されてない部分の印刷をも容易に見えるよう支持棒８端には、ハンドル１０が取り付けられ、必要に応じてそれを回すことにより巻紙の引き込み引き出しが可能となる。なお本実施例では、スタンド式支持器としているが、壁掛け式や吊り下げ式等としてもよい。
【図面の簡単な説明】
【００１２】
【図１】印刷されたトイレットペーパーが、使用時に巻紙より引き出された斜視図である。
【図２】印刷情報用紙を用いて、机上に置いて利用する状態を示す斜視図である。
【符号の説明】
【００１３】１    衛生紙を用いた巻紙
２    保持器
３    カバー
４    巻紙端
５    印刷物
６    切り取り線
７    印刷情報紙を用いた巻紙
８    支持棒
９    保持器
１０  ハンドル
【図１】
0003120242.tif 000003
【図２】
0003120242.tif 000004
(57)【要約】      （修正有）【課題】歯や口の中を清潔にすると共に、口臭を予防し、更に抗酸化及び遠赤外線効果を有する竹炭ガムを提供する。【解決手段】ガムベース１０を有し、ガムベースの内部に均一に分散する粉状の竹炭粒２０を含むことを特徴とする。【選択図】図１
0003120237.tif 000002
【実用新案登録請求の範囲】
【請求項１】
ガムベースを有し、該ガムベースの内部に均一に分散する粉状の竹炭粒を含むことを特徴とする竹炭ガム。
【請求項２】
前記ガムベースの外側に甘味料が設けられることを特徴とする請求項１に記載の竹炭ガム。
【考案の詳細な説明】
【技術分野】
【０００１】
本考案は、特に歯や口の中を清潔すると共に、口臭を予防し、更に抗酸化及び遠赤外線効果を有する竹炭ガムに関するものである。
【背景技術】
【０００２】
ガムは通常香料や砂糖を含み、噛んだ時に、これら香料や砂糖が口の中に心地よく広がるので、多くの人に、親しまれている。
【０００３】
又、最近では、消費者の好みに合わせて、様々な味を有するガムが開発されている。
【考案の開示】
【考案が解決しようとする課題】
【０００４】
しかしながら、従来のガムは、歯や口の中を清潔すると共に、口臭を予防し、更に抗酸化及び遠赤外線の効果が備わるものではないので、更に改良する必要があった。
【０００５】
そこで、案出されたのが本考案であって、歯や口の中を清潔すると共に、口臭を予防し、更に抗酸化及び遠赤外線効果を有する竹炭ガムを提供することを目的としている。
【課題を解決するための手段】
【０００６】
本願の請求項１の考案は、ガムベースを有し、該ガムベースの内部に均一に分散する粉状の竹炭粒を含むことを特徴とする竹炭ガム、を提供する。
【０００７】
本願の請求項２の考案は、前記ガムベースの外側に甘味料が設けられることを特徴とする請求項１に記載の竹炭ガム、を提供する。
【考案の効果】
【０００８】
本考案は上記の課題を解決するものであり、ガムベースを有し、該ガムベースの内部に粉状の竹炭粒が含まれ、この竹炭粒は、特殊な加工による製造することにより、歯や口の中を清潔すると共に、口臭を予防し、更には抗酸化及び遠赤外線効果を達成することができる。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１０】
図１は本考案に係る竹炭ガムの部分断面斜視図であり、図２は本考案に係る竹炭ガムの平面断面図である。
【００１１】
図１及び図２に示すように、本考案に係る竹炭ガムは、必要により異なる形状になる可能なガムベース（１０）を有し、該ガムベース（１０）の内部に粉状の竹炭粒（２０）を含む。
【００１２】
前記竹炭粒（２０）は、竹材を加工した後、粉状になる従来のものであり、活性炭のような効果を有する。
【００１３】
又、前記ガムベース（１０）の外側に甘味料（３０）が設けられることにより、異なる味を付けることができる。該甘味料（３０）は、液体の糖液を乾燥してから形成し、糖液の中に異なる味を有する香料や食用色素を添加することができる。
【産業上の利用可能性】
【００１４】
本考案は上記の構成を有するので、ガムベースを有し、該ガムベースの内部に粉状の竹炭粒が含まれ、この竹炭粒は、特殊な加工による製造することにより、歯や口の中を清潔すると共に、口臭を予防し、更には抗酸化及び遠赤外線効果を達成することができる。
【図面の簡単な説明】
【００１５】
【図１】本考案に係る竹炭ガムの部分断面斜視図である。
【図２】本考案に係る竹炭ガムの平面断面図である。
【符号の説明】
【００１６】
１０  ガムベース
２０  竹炭粒
３０  甘味料
【図１】
0003120237.tif 000003
【図２】
0003120237.tif 000004
【手続補正書】
【提出日】平成18年1月25日(2006.1.25)
【手続補正１】
【補正対象書類名】実用新案登録請求の範囲
【補正対象項目名】全文
【補正方法】変更
【補正の内容】
【実用新案登録請求の範囲】
【請求項１】
ガムベースを有し、該ガムベースの内部に竹炭粒を均一に分散配置すると共に、外側に甘味部を配置する構造を特徴とする竹炭ガム成形体。
【手続補正２】
【補正対象書類名】明細書
【補正対象項目名】０００６
【補正方法】変更
【補正の内容】
【０００６】
本願の請求項１に記載した考案は、ガムベースを有し、該ガムベースの内部に竹炭粒を均一に分散配置すると共に、外側に甘味部を配置する構造を特徴とする竹炭ガム成形体、を提供する。
【手続補正３】
【補正対象書類名】明細書
【補正対象項目名】０００７
【補正方法】変更
【補正の内容】
【０００７】
（削除）
【手続補正４】
【補正対象書類名】明細書
【補正対象項目名】００１１
【補正方法】変更
【補正の内容】
【００１１】
図１及び図２に示すように、本考案に係る竹炭ガムは、必要により異なる形状になることが可能なガムベース（１０）を有し、該ガムベース（１０）の内部に粒状の竹炭粒（２０）を分散配置した構造を有する。
【手続補正５】
【補正対象書類名】明細書
【補正対象項目名】００１３
【補正方法】変更
【補正の内容】
【００１３】
又、前記ガムベース（１０）の外側に甘味部（３０）を配置する構造により、異なる味を付けることができる。該甘味部（３０）は、液体の糖液を乾燥してから形成し、糖液の中に異なる味を有する香料や食用色素を添加することができる。
【手続補正６】
【補正対象書類名】明細書
【補正対象項目名】００１６
【補正方法】変更
【補正の内容】
【００１６】
１０  ガムベース
２０  竹炭粒
３０  甘味部
(57)【要約】      （修正有）【課題】停電上における一般家庭を第一目標としたもので、停電非常ランプ、そして低価格の停電非常ランプの提供。【解決手段】停電時、電源の供給が止まると、リレー９のコイルから磁場がなくなり、スイッチ（Ａ接点（常時間））が離れる。本体に取付けられている豆電球、赤の発光ダイオード２、ブザー３は、リレーのＢ接点（常時閉）に接続されているため、リレーコイルが動作しているときは、スイッチが切れているが、電源の供給が止まると、逆にスイッチが入る。後は、乾電池から供給される電気で、豆電球、ブザー等が作動を始める。豆電球点灯、赤色発光ダイオード点滅、ブザー音声発信には、各スイッチが存在するため、コンセントから外された状態でも、普通のランプとして使用が可能である。豆電球灯の乾電池２本を並列つなぎすることにより、より長く点灯させ乾電池の並列繋ぎの作用により、乾電池１本でも点灯する。【選択図】図２
0003120232.tif 000002
【実用新案登録請求の範囲】
【請求項１】
家庭用電源１００Ｖが停電した時点で、本体の豆電球が点灯し、尚且つ赤の発光ダイオードが点滅しブザーで知らせる。
【請求項２】
停電を感知させるため、本体に１００Ｖリレーを入れ、乾電池により、豆電球点灯、赤色発光ダイオード点滅、ブザー音声発信を行う。
【考案の詳細な説明】
【技術分野】
【０００１】
本考案は、停電時に於ける、夜間の案内照明と、赤色発光に於ける確認灯、停電を知らせるブザーで構成された停電の非常ランプに関する。
【背景技術】
【０００２】
従来、災害用などとして使われる懐中電灯などは、突如としておこる災害などによって停電などに対し、その懐中電灯が、何処にあるのかわかりずらい状況にある。まして、一般家庭において、誘導灯の設置などは、殆どなく真っ暗闇の状態になってしまう。まして、睡眠中に災害などによる停電などわかる筈もなく、多くの犠牲を出す可能性は高い。停電用の充電式非常灯は市販品としてあるが、一般店頭で見かけたことがない。出願人の知り得たものは、インターネット上でようやく探し当てた位なもので、値段が高く一般的に多くを購入するには困難と思われる。
【特許文献１】特開平１０−２１７０１号公報
【考案の開示】
【考案が解決しようとする課題】
【０００３】
この考案は、停電上における一般家庭を第一目標としたもので、停電非常ランプ、そして低価格で提供できる停電非常ランプである。
【課題を解決するための手段】
【０００４】
通電時は、１００Ｖリレーが、Ｂ接点（常時閉）に接続されているため、内部の動作が停止の状態にある。停電になった時点で、リレーが切れ、B接点が接触をする。それに伴い照明ランプ、赤点滅、ブザーが鳴る仕組みと成る。使用されるブザーは、防犯用などに使われる高出力のブザーを使用する。ブザー、ランプ等には、各スイッチを付けているため、試験用、常時使用、停止用と使い分けることが出来る。より手軽に低価格でより多く、一般家庭や宿泊業等に多く普及させるため、部品点数をより少なくし、安値な部品を使い、より単純に作ることを前提とする。乾電池、豆電球といった消耗部品もより安く、何処にでもある様な部品を使うことによって、長期にわたっての使用と、消耗品購入の煩わしさを軽減させる。
【考案の効果】
【０００５】
本考案は、夜間の停電対策を前提として、照明の確保を最優先とし、赤のランプを付けることにより、災害時、遠くからでも認識しやすくなる。ブザーのスイッチを入れておくことによって、地震などによる停電を夜間就寝中に置いても、コンセントのある場所であれば、枕元等でも、いち早く知らせることができ、照明の確保を優先とし、より早く非難を促すことができる。ブザーをモールス信号のように使用することにより、煙等により声が出せなくとも、ほかの人に自分の位置を知らせることができる。
【考案を実施するための最良の形態】
【０００６】
停電時、電源の供給が止まると、リレーのコイルから磁場がなくなり、スイッチ（Ａ接点（常時間））が離れる。本体に取り付けられている豆電球、赤の発光ダイオード、ブザーは、リレーのＢ接点（常時閉）に接続されているため、リレーコイルが動作しているときは、スイッチが切れているが、電源の供給が止まると、逆にスイッチが入る。後は、乾電池から供給される電気で、豆電球、ブザー等が作動を始める。豆電球点灯、赤色発光ダイオード点滅、ブザー音声発信には、各スイッチが存在するため、コンセントから外された状態でも、普通のランプとして使用が可能である。豆電球灯の乾電池二本を並列つなぎすることにより、より長く点灯させ乾電池の並列繋ぎの作用により、乾電池一本でも点灯することができる。
【０００７】
本考案の特徴は、製品の低価格化を図るため、試作品は殆どが１００円ショップ等で売られているものを多用し、千円以内で収まったことから、工場等で量産すれば、格段に安値で販売することが可能である。
【実施例】
【０００８】
図1は電気回路図を示していて、コンセントに接続する前に、必要なランプ等のスイッチを入れ、ランプ等の点灯を確認しコンセントに繋ぐ。コンセントに繋ぐとランプ及びブザー音は消え、待機状態になる。
【０００９】
実験例として、２年近く使用したが、構造が単純で待機保持電流の消耗させる部品がなく、待機状態では環境温度変化の乾電池の消耗位で、殆ど放電もなく何度かの停電でも、作動したが、寒冷地及び多湿による結露等の変化も伴うため、一ケ月ごとの確認は必要である。
【００１０】
図２はランタン型とした一例であって、通常の停電非常ランプだけに留まらず、電気の使いすぎによるブレーカー落ち等には、大いに活躍し、設置されていれば、部屋の何処からでも、復旧が容易となる。アウトドアのキャンプランプや、赤の誘導灯、近くに助けを呼ぶための、ブザーとしての使い方や、山間部などでの動物などでの動物などへの音的威圧としても利用可能である。
【図面の簡単な説明】
【００１１】
【図１】本体の電気回路図
【図２】本体の側面図
【符号の説明】
【００１２】
１…豆電球
２…赤ランプ（発光ダイオード）
３…ブザー
４…豆電球スイッチ
５…赤ランプ（発光ダイオード）スイッチ
６…ブザースイッチ
７…１００Ｖコンセント
８…単三乾電池（１．５Ｖ）
９…１００Ｖ２接点リレー
１０…赤ランプ用点滅回路
【図１】
0003120232.tif 000003
【図２】
0003120232.tif 000004
【手続補正書】
【提出日】平成17年12月18日(2005.12.18)
【手続補正１】
【補正対象書類名】実用新案登録請求の範囲
【補正対象項目名】全文
【補正方法】変更
【補正の内容】
【実用新案登録請求の範囲】
【請求項１】
１００Ｖコンセント（７）の先に、１００Ｖ２接点リレー（９）を中心に、１００Ｖ２接点リレー（９）の１つ目の常時閉の接点に乾電池（８）、豆電球（１）、豆電球スイッチ（４）の接続構成と、２つ目の常時閉の接点に乾電池（８）、ブザー（３）、ブザースイッチ（６）、の接続構成と、同じく、２つ目の常時閉の接点の乾電池（８）、赤ランプ用点滅回路（１０）、赤ランプスイッチ（５）の接続構成の３構成の構造を有する停電非常ランプ